【手続補正書】
【提出日】平成20年2月4日(2008.2.4)
【手続補正１】
【補正対象書類名】特許請求の範囲
【補正対象項目名】全文
【補正方法】変更
【補正の内容】
【特許請求の範囲】
【請求項１】
第１のオペレーションシステムと、第２のオペレーションシステムと、マルチメディアアプリケーションユニットと、電源データ管理ユニットと、電源制御ユニットと、を含み、
前記第１のオペレーションシステムは、コンピュータシステム内にインストールされており、前記第１のオペレーションシステムには少なくとも一つのアプリケーションユニットがインストールされており、
前記第２のオペレーションシステムは、前記コンピュータシステム内にインストールされており、前記第２のオペレーションシステムはシステムの資源消費が比較的少ないオペレーションシステムであり、
前記マルチメディアアプリケーションユニットは、多項の映像音声再生動作を実行することができ、
前記電源データ管理ユニットには、前記マルチメディアアプリケーションユニットのそれぞれの実行項目に対応して前記コンピュータシステムのハード設備の起動および停止を必ず行わなければならないデータが保存されており、
前記電源制御ユニットは、前記マルチメディアアプリケーションユニットが実行する映像音楽項目に基づいて、前記電源データ管理ユニットから対応するデータを読み取り、前記マルチメディアアプリケーションユニットが実行する項目に組合されたコンピュータシステムのハード設備を起動し、その他の無用のハード設備を停止させる
ことを特徴とするコンピュータシステムの電源管理のアーキテクチャ。
【請求項２】
前記電源データ管理ユニットには、さらに、前記マルチメディアアプリケーションユニットのそれぞれの実行項目に対応して前記コンピュータシステムのＣＰＵが実行する動作周波数が保存されており、前記電源制御ユニットは前記コンピュータシステムのＣＰＵの動作周波数のデータに基づいて、前記ＣＰＵの動作周波数を調整することを特徴とする請求項１記載のコンピュータシステムの電源管理のアーキテクチャ。
【請求項３】
前記電源制御ユニットは、さらに、前記コンピュータシステムのＣＰＵの現在の負荷量を感知することができ、その値に基づいて、前記ＣＰＵの動作周波数を適当な周波数に調整することを特徴とする請求項１記載のコンピュータシステムの電源管理のアーキテクチャ。
【請求項４】
前記第２のオペレーションシステムは、前記第１のオペレーションシステムの前記アプリケーションユニットを使用していることを特徴とする請求項１記載のコンピュータシステムの電源管理のアーキテクチャ。
【請求項５】
コンピュータシステム内に第１のオペレーションシステムおよび第２のオペレーションシステムがインストールされており、前記第２のオペレーションシステムは、システムの資源消費が比較的少ないオペレーションシステムであり、前記コンピュータシステムのマルチメディアアプリケーションユニットが映像音声再生動作を実行するとき、前記電源制御ユニットは、前記マルチメディアアプリケーションユニットが実行する映像音楽項目に基づいて、前記電源データ管理ユニットから対応するデータを読み取り、前記マルチメディアアプリケーションユニットが実行する項目に組合されたコンピュータシステムのハード設備を起動し、その他の無用のハード設備を停止させる
ことを特徴とするコンピュータシステムの電源管理の方法。
【請求項６】
前記電源データ管理ユニットが保存するデータは、前記マルチメディアアプリケーションユニットのそれぞれの実行項目に対応して前記コンピュータシステムのハード設備の起動および停止を必ず行わなければならないデータであることを特徴とする請求項５に記載のコンピュータシステムの電源管理の方法。
【請求項７】
前記電源データ管理ユニットには、さらに、前記マルチメディアアプリケーションユニットのそれぞれの実行項目に対応して前記コンピュータシステムのＣＰＵが実行する動作周波数が保存されており、前記電源制御ユニットは前記コンピュータシステムのＣＰＵの動作周波数のデータに基づいて、前記ＣＰＵの動作周波数を調整することを特徴とする請求項５記載のコンピュータシステムの電源管理の方法。
【請求項８】
前記電源制御ユニットは、さらに、前記コンピュータシステムのＣＰＵの現在の負荷量を感知することができ、その値に基づいて、前記ＣＰＵの動作周波数を適当な周波数に調整することを特徴とする請求項５記載のコンピュータシステムの電源管理の方法。
【請求項９】
前記第１のオペレーションシステムには少なくとも一つのアプリケーションユニットがインストールされており、前記アプリケーションユニットは、前記第２のオペレーションシステムに使用していることを特徴とする請求項５記載のコンピュータシステムの電源管理の方法。
【請求項１０】
マルチメディアアプリケーションユニットと、電源データ管理ユニットと、電源制御ユニットと、を含み、
前記マルチメディアアプリケーションユニットは、コンピュータシステムにインストールされており、多項の映像音声再生動作を実行することができ、
前記電源データ管理ユニットには、前記マルチメディアアプリケーションユニットのそれぞれの実行項目に対応して前記コンピュータシステムのハード設備の起動および停止を必ず行わなければならないデータが保存されており、
前記電源制御ユニットは、前記マルチメディアアプリケーションユニットが実行する映像音楽項目に基づいて、前記電源データ管理ユニットから対応するデータを読み取り、前記マルチメディアアプリケーションユニットが実行する項目に組合されたコンピュータシステムのハード設備を起動し、その他の無用のハード設備を停止させる
ことを特徴とするコンピュータシステムの電源管理のアーキテクチャ。
【請求項１１】
前記電源データ管理ユニットには、さらに、前記マルチメディアアプリケーションユニットのそれぞれの実行項目に対応して前記コンピュータシステムのＣＰＵが実行する作動周波数が保存されており、前記電源制御ユニットは前記コンピュータシステムのＣＰＵの動作周波数のデータに基づいて、前記ＣＰＵの動作周波数を調整することを特徴とする請求項１０記載のコンピュータシステムの電源管理のアーキテクチャ。
【請求項１２】
前記電源制御ユニットは、さらに、前記コンピュータシステムのＣＰＵの現在の負荷量を感知することができ、その値に基づいて、前記ＣＰＵの動作周波数を適当な周波数に調整することを特徴とする請求項１０記載のコンピュータシステムの電源管理のアーキテクチャ。
【請求項１３】
使用者がコンピュータを操作してマルチメディアアプリケーションユニットを使用し、映像音声再生動作を実行するとき、前記電源制御ユニットは、実行する項目の種類に基づいて、前記電源データ管理ユニットから対応するデータを読み取り、実行する項目に対応するコンピュータシステムのハード設備を起動し、その他の無用のハード設備を停止させることを特徴とするコンピュータシステムの電源管理の方法。
【請求項１４】
前記電源データ管理ユニットが保存するデータは、前記マルチメディアアプリケーションユニットのそれぞれの実行項目に対応して前記コンピュータシステムのハード設備の起動および停止を必ず行わなければならないデータであることを特徴とする請求項１３に記載のコンピュータシステムの電源管理の方法。
【請求項１５】
前記電源データ管理ユニットには、さらに、前記マルチメディアアプリケーションユニットのそれぞれの実行項目に対応して前記コンピュータシステムのＣＰＵが実行する動作周波数が保存されており、前記電源制御ユニットは前記コンピュータシステムのＣＰＵの動作周波数のデータに基づいて、前記ＣＰＵの動作周波数を調整することを特徴とする請求項１３記載のコンピュータシステムの電源管理の方法。
【請求項１６】
前記電源制御ユニットは、さらに、前記コンピュータシステムのＣＰＵの現在の負荷量を感知することができ、その値に基づいて、前記ＣＰＵの動作周波数を適当な周波数に調整することを特徴とする請求項１３記載のコンピュータシステムの電源管理の方法。